(57)【要約】【課題】低コストで、管理者が容易に不正利用者を管理することができる入退場者管理システムを提供する。【解決手段】利用者の識別情報の入力を受け付ける識別情報入力手段と、撮影し、撮影された画像の画像データを生成する撮影手段と、画像を表示する表示手段と、予め撮影された参照画像の画像データを識別情報と関連付けて保存する参照画像保存手段と、表示手段による表示に対して認証するか否かの入力を受け付ける認証入力手段とを備え、表示手段が、識別情報入力手段により識別情報が入力された場合に、該識別情報の入力者が前記撮影手段により撮影された入力者画像を、入力された識別情報と関連付けられた参照画像とともに表示することを特徴とする。【選択図】図２
2009104325.tif 000002
【特許請求の範囲】
【請求項１】
利用者の識別情報の入力を受け付ける識別情報入力手段と、
撮影し、撮影された画像の画像データを生成する撮影手段と、
画像を表示する表示手段と、
予め撮影された参照画像の画像データを識別情報と関連付けて保存する参照画像保存手段と、
前記表示手段による表示に対して認証するか否かの入力を受け付ける認証入力手段とを備え、
前記表示手段が、前記識別情報入力手段により識別情報が入力された場合に、該識別情報の入力者が前記撮影手段により撮影された入力者画像を、入力された前記識別情報と関連付けられた参照画像とともに表示することを特徴とする入退場者管理システム。
【請求項２】
入場者を検知する検知手段と、
画像データを保存する撮影画像保存手段とを、更に備え、
前記検知手段により入場者を検知すると、検知した入場者を前記撮影手段により撮影して入場者画像の画像データを生成し、該画像データを前記撮影画像保存手段に保存することを特徴とする請求項１に記載の入退場者管理システム。
【請求項３】
音声による出力手段を、更に備え、
前記認証入力手段により認証しない旨が入力された場合には、前記出力手段から前記入力者に対する警告を出力し、前記認証入力手段により認証する旨が入力された場合には、前記撮影画像保存手段から、当該入場者画像の画像データを削除することを特徴とする請求項２に記載の入退場者管理システム。
【請求項４】
前記入退場者管理システムが、制御装置と少なくとも１の端末装置とを含み、前記制御装置と前記端末装置とがネットワークで接続された入退場者管理システムであって、
前記端末装置が、前記識別情報入力手段と、前記撮影手段とを含み、
前記制御装置が、前記参照画像保存手段と、前記認証入力手段とを含み、
前記表示手段が、前記認証入力手段のための第１の表示手段と、前記入力者に対して表示するための第２の表示手段とから構成され、
前記第１の表示手段が前記制御装置に含まれ、前記第２の表示手段が前記端末装置に含まれることを特徴とする請求項１乃至３のいずれか１項に記載の入退場者管理システム。
【発明の詳細な説明】
【技術分野】
【０００１】
本発明は、入退場者を管理する入退場者管理システムに関する。
【背景技術】
【０００２】
近年、オフィスに入場又は退場する際に利用される入退場者管理システムにおいて、非接触型ＩＣカードが広く用いられている。入場又は退場する利用者が、例えば、そのようなＩＣカードを入り口に置かれている入退場者管理装置にかざすことによって、利用者が不正利用者か否かが判定される。また、非接触型ＩＣカードのセキュリティのみでは不十分な場合に、指紋認証や顔認証等、高度なセキュリティシステムと併用される場合も多い。しかしながら、そのようなセキュリティシステムにおいては、複雑な認証アルゴリズムやハードウエアが必要となり、システムの導入と維持するためのコストが上昇してしまう。従って、一般のオフィス等においては、セキュリティだけでなく、コストを低減できるような入退場者管理システムが求められている。
【０００３】
特許文献１においては、非接触方式のＩＣカードシステムに撮影した画像のデータをデータベース形式で蓄積する監視カメラシステムを融合させたＩＣカード管理システムが開示されている。このＩＣカード管理システムによると、認証を受ける人物の画像データをデータベースに蓄積して撮影時刻情報をキーとして必要な画像を容易かつ迅速に検索することができると記載されている。
【０００４】
また、特許文献２においては、１つの監視区画内に複数の進入者があった場合に、監視区画内の進入者状況を確実に把握でき、不審進入者を検知した際にその不審進入者を確認できるシステムが開示されている。このシステムによると、人体センサが監視区画内のみの進入許可者を検知し、進入許可者の所持するＩＣカードに色駆動送信機から識別信号を送る。その結果、少なくとも進入許可を認証された進入者の色表示受信機に色表示させることができるので、不審進入者を正常進入者から区別することが容易となると記載されている。
【０００５】
しかしながら、特許文献１においては、不審者が、ＩＣカードを故意に悪用した場合に、不審者を確認することが事後となってしまう。また、特許文献２においては、例えば、不審進入者が、進入許可者のＩＣカードを所持している場合には、不審侵入者とは認識されなくなってしまう。
【特許文献１】特開２００１−１６７３０６号公報（段落［００２１］）
【特許文献２】特開２００５−１８２３４０号公報（段落［００６２］）
【発明の開示】
【発明が解決しようとする課題】
【０００６】
そこで、上記の点に鑑み、本発明は、低コストで、管理者が容易に不正利用者を管理することができる入退場者管理システムを提供することを目的とする。
【課題を解決するための手段】
【０００７】
本発明に係る入退場者管理システムは、利用者の識別情報の入力を受け付ける識別情報入力手段と、撮影し、撮影された画像の画像データを生成する撮影手段と、画像を表示する表示手段と、予め撮影された参照画像の画像データを識別情報と関連付けて保存する参照画像保存手段と、表示手段による表示に対して認証するか否かの入力を受け付ける認証入力手段とを備え、表示手段が、識別情報入力手段により識別情報が入力された場合に、該識別情報の入力者が前記撮影手段により撮影された入力者画像を、入力された識別情報と関連付けられた参照画像とともに表示することを特徴とする。
【発明の効果】
【０００８】
本発明によれば、低コストで、管理者が容易に不正利用者を管理することができる。
【発明を実施するための最良の形態】
【０００９】
以下に、本発明を実施するための最良の形態について、図面を参照しながら詳しく説明する。なお、同一の構成要素には同一の参照番号を付して、説明を省略する。
【００１０】
図１は、本発明の実施形態に係る入退場者管理システムの構成の一例を示す図である。図１に示すように、本システムは、少なくとも１台の入退場者管理装置１と、ホストコンピュータ２とを含んでいる。そのような入退場者管理装置１とホストコンピュータ２とはネットワークで接続されて構成されていて通信を行うことができる。入退場者管理装置１は、例えば、オフィスの出入り口に設置され、本システムの利用者であるユーザ３は、本システムを構成しているオフィス等に進入する際に、識別情報であるＩＤコードが付加されたＩＣカード４を入退場者管理装置１に提示する。その結果、ユーザ３が、本システムへの不審な入場者であるか否かの認証が行われる。ホストコンピュータ２は、例えば、入退場者管理装置１と５０ｍ離れた箇所にあり、本システムの管理者が在席している。本システムにおいては、管理者によりユーザ３が不審者であるか否かの認証が行われ、ホストコンピュータ２から入退場者管理装置１に認証の結果が送信される。本実施形態において、ホストコンピュータ２は、認証の結果を送信し、また、認証の結果により、端末装置としての入退場者管理装置１内のデータを削除するなどの操作を行う制御装置として機能する。
【００１１】
また、本システムにおいて、ホストコンピュータ２は、受信アンテナ２０と、ＲＦ受信機２１と、本体２２とを含んでいる。受信アンテナ２０は、ＲＦ受信機２１に接続されて、それぞれの入退場者管理装置１に含まれる送信アンテナ１０から送信された電波を受信する。ＲＦ受信機２１は、受信した電波を復調してデジタル信号とし、ホストコンピュータ２にデータを供給する。ここで、本実施形態において、無線ではなく、有線が用いられてネットワークが構成されても良い。その場合には、送信アンテナ１０及び受信アンテナ２０とＲＦ受信機２１ではなくケーブル等によって、入退場者管理装置１とホストコンピュータ２とが接続される。入退場者管理装置１の構成については、後述する。
【００１２】
図２は、図１に示す入退場者管理装置の外観の一例を示す図である。図１に示すように、入退場者管理装置１は、ＩＣカード４のカード通信用のアンテナ１１と、カメラ１２と、表示部１３と、キーボード１４と、ＬＥＤ１５及び１６と、センサ１８と、スピーカ１９を含んでいる。ここで、ＬＥＤ１５及び１６は、本システムによる認証判定結果を表示するＬＥＤとして用いられ、ＬＥＤ１５は、認証された結果を示し、ＬＥＤ１６は、認証されなかった結果を示す。また、センサ１８は、入退場者管理装置１の前を通過するユーザ３を検出する広角人体検知センサである。ここで、人体を検知するセンサとして、例えば、焦電型センサや光反射型センサや赤外線センサが用いられても良い。図２においては、広角センサの検出範囲が示されている。また、本実施形態において、広角センサを用いない場合には、図３に示すように、センサ１８ａ、１８ｂ、１８の３つのセンサを設置し、図２に示すセンサ１８と同じ範囲を検出するようにしても良い。また、スピーカ１９は、本入退場者管理システムにおける音声ガイダンスによる音声案内に用いられる。入退場者管理装置１は、着脱自在のメモリ１７を内蔵している。メモリ１７としては、例えば、ＵＳＢメモリ等が用いられても良い。メモリ１７には、後述する不審者映像ファイル等、カメラ１２を用いて撮影された画像が保存される。キーボード１４は、図２に示すように、訪問先の内線番号を入力するテンキーと、各種の設定を行う設定ボタンと、時刻表示する時刻ボタンと、警報時等にリセットする解除ボタン、オブション設定を行う予備ボタンとを含んでいる。キーボード１４は、例えば、ユーザ３によって暗証番号が入力されたり、入退場者管理装置１を出勤管理装置として用いる場合等、様々な用途に用いられる。表示部１３は、図２に示すように、一つの画面が２分割されて２つの画像を同時に表示することができる。ここで、画面を２分割せずに、２つの画像を交互に表示するようにしても良い。
【００１３】
図４は、入退場者管理装置の内部構成を示す図である。図４に示すように、入退場者管理装置１はＣＰＵ３０を含み、ＣＰＵ３０には、カメラ１２と、表示部１３と、キーボード１４と、センサ１８と、メモリ１７と、ネットワークインタフェース３５とが接続されている。更に、スピーカ１９は、増幅器３１を介してＣＰＵ３０に接続され、アンテナ１１は、アンテナインタフェース３２を介してＣＰＵ３０に接続され、送信アンテナ１０は、ＲＦ送信機３３を介してＣＰＵ３０に接続されている。ここで、それぞれの構成部品とＣＰＵ３０とは、システムバス３４によって接続されている。ネットワークインタフェース３５は、例えば、入退場者管理装置１とホストコンピュータ２とが、有線ネットワークで構成される場合にケーブルを接続するインタフェースとして用いられる。
【００１４】
以下、図６を参照しながら入退場管理システムの動作について説明する。
【００１５】
図６は、第１の実施形態における入退場管理の手順を示すフローチャートである。入退場者管理装置１は、例えば、ユーザ３が入場する際に、必ず、入退場者管理装置１の前を通過するように、オフィスの入場入り口の壁に掛けられている。また、本フローチャートの処理が開始される際に、入退場者管理装置１は、センサ１８によって、前を通過するユーザ３を検知する状態とされている。
【００１６】
まず、ステップＳ６０１において、センサ１８によって人体が検知される。人体が検知されたか否かは、例えば、図５に示すように、ユーザ３が入場しようとし、センサ１８の検知範囲に入った時点（即ち、図５に示すポイントＡ）で、センサ１８が人体の熱を感知することによって、人体が検知されたと判定される。また、図３に示すように、複数のセンサ１８ａ〜１８ｃが用いられた場合には、入室方向を図５と同じとすると、ユーザ３がセンサ１８ａの検知範囲に入った時点で、人体が検知されたと判定される。
【００１７】
次に、ステップＳ６０２において、カメラ１２が用いられて、ユーザ３の顔写真の画像撮影が実行され、画像データが生成される。本実施形態においては、例えば、図５に示すように、ユーザ３が矢印の方向に入場していく際に、ポイントＡ〜Ｆの６つのポイントにおいて画像撮影が行われる。その場合に、６つのポイントを一定の正確性で撮影するために、例えば、ポイントＡにおいて人体が検知されてから、０．５秒毎にカメラ１２により画像撮影が行われるようにしても良い。また、管理者等によって、所望の秒数間隔が設定され、画像撮影が行われるようにしても良い。ここで、図３に示すようなセンサ１８ａ〜１８ｃが用いられた場合には、例えば、ユーザ３がセンサ１８ａの前を通ることにより検出されると最初の撮影を行う。次に、センサ１８ｂの前を通ることにより検出されると２回目の撮影を行い、更に、センサ１８ｃの前を通ることにより検出されると３回目の撮影を行うようにしても良い。即ち、本実施形態においては、センサの構成に応じて、撮影するタイミングを決定している。ステップＳ６０２において撮影された顔写真の画像データは、不審者映像ファイルとしてメモリ１７に保存される。本実施形態において、ユーザ３がポイントＡからＦまで通過すると、６コマの画像データが、不審者映像ファイルとして保存される。
【００１８】
撮影された画像データは、ＲＦ送信機３３によりデジタルデータから電波に変換され、送信アンテナ１０から送信される。送信された電波は、ホストコンピュータ２の受信アンテナ２０によって受信され、ＲＦ受信機２１により電波からデジタルデータに変換され、撮影された画像データとしてホストコンピュータ２に送信される。
【００１９】
このように、本実施形態においては、入退場者管理装置１の前をユーザ３が通過すると自動的にユーザ３が入場者として撮影され、生成された入場者画像の画像データが入退場者管理装置１に保存されると共に、ホストコンピュータ２に送信される。
【００２０】
次に、ステップＳ６０３において、ステップＳ６０２における画像撮影が行われてから予め定められた時間内にＩＣカード４が提示されたか否かが判定される。本実施形態においては、例えば、予め定められた時間内にＩＣカード４がカード通信用のアンテナ１１に近接したか否かによって判定される。ユーザ３がＩＣカード４を提示することは、本実施形態において、ユーザ３であること、即ち、識別情報を本システムに入力する識別情報入力手段の１つである。ここで、所定の時間内にＩＣカード４が提示されなかったと判定された場合には、ステップＳ６０４に進み、スピーカ１９より音声ガイダンスが流れる。ＩＣカード４が提示されなかったと判定される場合とは、例えば、不審者が、ユーザ３として進入し、入退場者管理装置１の前をポイントＡ〜Ｆを通過した場合である。そのような場合には、既に説明したような不審者映像ファイルが保存されると共に、「入場するには、ＩＣカード又はキーボード操作してからお入り下さい。」等の音声ガイダンスが流れる。
【００２１】
ステップＳ６０４の後、ステップＳ６０５において、ＣＰＵ３０等によって一定時間が経過したか否かが判定される。一定時間が経過したと判定された場合には、ステップＳ６０６において、スピーカ１９より警報が発令される。ここで、ステップＳ６０５の判定はなくても良いが、実施することにより、仮に、不審者でないユーザ３が、ポイントＡ〜Ｆを通過した位置で、後述するＩＣカード４を提示した場合に、音声ガイダンス及び警報発令が流れることを防ぐことができる。ステップＳ６０６において、警報の発令が行われると、ステップＳ６０７において、権限のある管理者等によって、警報の解除操作が行われて、警報が停止される。その場合に、解除操作は、管理者がホストコンピュータ２からネットワーク経由で行っても良いし、管理者自身が、例えば、キーボード１４において暗証番号を入力し、警報解除ボタンを押下することによって、解除操作を行っても良い。警報が停止された後、本フローチャートを終了する。ここで、本実施形態において、警報ではなく、ランプ等の表示することで、不審者に警告を出力するようにしても良い。
【００２２】
一方、ステップＳ６０３において、ＩＣカード４が提示されたと判定された場合には、ステップＳ６０８に進み、カメラ１２が用いられて、ユーザ３の顔写真が撮影される。その場合に、ＩＣカード４のＩＤデータが、アンテナ１１を介して取得されることができる。撮影された顔写真のデータは、ＩＤデータをインデックスとして、ＣＰＵ３０の時計機能等から得られた撮影日時データと共に、メモリ１７に保存されると共に、ホストコンピュータ２に送信される。ステップＳ６０８において撮影された顔写真のデータのホストコンピュータ２への送信は、ステップＳ６０２において撮影された画像データのホストコンピュータ２への送信と同様である。
【００２３】
ステップＳ６０９において、ユーザ３の認証が行われる。本実施形態において、ユーザ３の認証は、管理者による目視により行われる。即ち、ステップＳ６０８においてホストコンピュータ２に送信された顔写真のデータと、ホストコンピュータ２に予め保存されていて、送信されたＩＤデータに対応した顔写真のデータとが、ホストコンピュータ２上に表示される。ここで、送信されたＩＤデータに対応した顔写真のデータとは、例えば、本システムを導入するにあたって社員全員の顔写真を撮影しておき、ＩＤデータと関連付けられてデータベースとして保存されたデータをいう。本実施形態において、ホストコンピュータ２に予め保存されていて、送信されたＩＤデータに関連付けられた顔写真を参照画像ともいう。参照画像に対して、ステップＳ６０８においてホストコンピュータ２に送信された顔写真を入力者画像ともいう。管理者は、ホストコンピュータ２上で、それらの２種類の顔写真を見比べ、認証するか否かを判定し、ホストコンピュータ２にその旨を入力する。ここで、例えば、管理者が、認証すると判定した場合には「Ｙ」ボタンを押下し、認証しないと判定した場合には「Ｎ」ボタンを押下するようにしても良い。なお、ホストコンピュータ２上で、２種類の写真は、２画面に並列表示されても良いし、１画面ずつ表示を切り替えて表示されるようにしても良い。また、ホストコンピュータ２上に表示される２種類の顔写真は、図２に示されるように、入退場者管理装置１の表示部１３にも同様に表示される。表示部１３に表示されることにより、例えば、ユーザ３が不審者であった場合に、監視されているという心理的な圧迫を与えることができ、不審者の進入を防ぐことができる。ステップＳ６０９において、認証されたと判定された場合には、ユーザ３がＩＣカード４を提示する前に撮影されメモリ１７に保存された不審者映像ファイルは削除され、本フローチャートを終了する。一方、ステップＳ６０９において認証されなかったと判定された場合には、ステップＳ６０４に進み、既に説明したような処理が行われる。
【００２４】
以上のように、本実施形態における入退場者管理装置及び入退場者管理システムは、ＩＣカードによるシステム上のセキュリティと、撮影情報による認証の両方の利点を含んでいる。また、本実施形態においては、ユーザ３の認証をリアルタイムに行うことができるので、警報を発令する等によって、不審者発見後の処理を速やかに行うことができる。認証されたユーザ３については、不審者映像ファイルは削除され、認証されなかったユーザ３については、不審者映像ファイルがメモリ１７に保存されたままとなる。本実施形態においては、例えば、不審者映像ファイルは、１年間、メモリ１７に保存されるので、そのような不審者情報を他の入退場者管理システムと共用することもできる。また、不審者映像ファイルは、ＣＰＵ３０の時計機能等から得られた撮影日時データと共に、メモリ１７に保存されるようにしても良い。また、メモリ１７に保存されたままでなく、ホストコンピュータ２に送信し、不審者情報を集中管理するようにしても良い。また、本実施形態においては、ユーザ３が入場する場合について説明したが、オフィス等から退場する場合についての入退場者管理装置１の動作も同様である。また、本実施形態においては、入退場者管理装置１とホストコンピュータ２とに既に説明したような２種類の顔写真が表示される。しかしながら、本システムにおけるユーザ３の認証のみを目的とするのであれば、ホストコンピュータ２に２種類の顔写真を表示し、入退場者管理装置１の表示部１３には表示されないようにしても良い。
【００２５】
図７は、本発明の第２の実施形態における入退場管理処理の手順を示すフローチャートである。本実施形態において、ユーザ３は、ＩＣカード４を所持していない場合でも入退場者管理システムによって入退場管理されることができる。ここで、ユーザ３がＩＣカード４を所持していない場合とは、例えば、所持し忘れた場合や、ユーザ３のＩＣカード４の作成がまだ終了していない場合等である。そのような場合に備えて、ユーザ３は、ＩＣカード４に換わる暗証番号を与えられている。即ち、本実施形態においては、識別情報入力手段の１つとして、ユーザ３は、暗証番号を入力する。以下、本実施形態における入退場者管理の手順について説明する。
【００２６】
ステップＳ７０１、Ｓ７０２については、それぞれステップＳ６０１、Ｓ６０２の説明と同様である。即ち、入退場者管理装置１によって不審者映像ファイルが撮影される。次に、ステップＳ７０３において、ユーザ３が、図２に示すキーボード１４を用いて暗証番号が入力されたか否かが判定される。ここで、入力されなかったと判定された場合は、図６に示すステップＳ６０３においてＩＣカード４が提示されなったと判定された場合に相当し、ステップＳ７０４に進む。ステップＳ７０４〜Ｓ７０７については、ステップＳ６０４〜Ｓ６０７における説明と同様である。一方、ステップＳ７０３において、入力されたと判定された場合は、図６に示すステップＳ６０３においてＩＣカード４が提示されたと判定された場合に相当し、ステップＳ７０８に進む。
【００２７】
ステップＳ７０８において、カメラ１２が用いられて、ユーザ３の顔写真が撮影される。その場合に、撮影された顔写真のデータは、入力された暗証番号をインデックスとして、ＣＰＵ３０の時計機能等から得られた撮影日時データと共に、メモリ１７に保存されると共に、ホストコンピュータ２に送信される。
【００２８】
次に、ステップＳ７０９において、ユーザ３の認証が行われる。本実施形態において、ユーザ３の認証は、図６における説明と同様に、管理者による目視により行われる。即ち、ステップＳ７０８においてホストコンピュータ２に送信された顔写真のデータと、ホストコンピュータ２に予め保存されていて、送信された暗証番号に対応した顔写真のデータとが、ホストコンピュータ２上に表示される。ステップＳ７０９における認証は、ＩＣカード４のＩＤデータの代わりに、入力された暗証番号を用いる点以外は、ステップＳ６０９における説明と同様である。
【図面の簡単な説明】
【００２９】
【図１】本発明の実施形態に係る入退場者管理システムの全体構成を示す図である。
【図２】図１に示す入退場者管理装置の外観の一例を示す図である。
【図３】図１に示す入退場者管理装置を外観の他の一例を示す図である。
【図４】入退場者管理装置の内部構成を示す図である。
【図５】入退場者管理装置のカメラにより撮影されるタイミングを説明する図である。
【図６】第１の実施形態に係る入退場者管理の手順を示すフローチャートである。
【図７】第２の実施形態に係る入退場者管理の手順を示すフローチャートである。
【符号の説明】
【００３０】
１  入退場者管理装置
２  ホストコンピュータ
３  ユーザ
４  ＩＣカード
１０  送信アンテナ
１１  アンテナ
１２  カメラ
１３  表示部
１４  キーボード
１５、１６  ＬＥＤ
１７  メモリ
１８、１８ａ、１８ｂ、１８ｃ  センサ
１９  スピーカ
２０  受信アンテナ
２１  ＲＦ受信機
２２  本体
３０  ＣＰＵ
３１  増幅器
３２  アンテナインタフェース
３３  ＲＦ送信機
３４  システムバス
３５  ネットワークインタフェース
【図１】
2009104325.tif 000003
【図２】
2009104325.tif 000004
【図３】
2009104325.tif 000005
【図４】
2009104325.tif 000006
【図５】
2009104325.tif 000007
【図６】
2009104325.tif 000008
【図７】
2009104325.tif 000009